【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
コードブロックグループ(CBG)の第1のサブセットおよびCBGの第2のサブセットを含むCBGのセットを含むトランスポートブロック(TB)をユーザ機器(UE)に送信するステップであって、前記CBGの第1のサブセットが少なくとも部分的にパンクチャされたリソース上で送信され、前記CBGの第2のサブセットがパンクチャされていないリソース上で送信される、ステップと、
前記少なくとも部分的にパンクチャされたリソース上で送信された前記CBGの第1のサブセットを示すインジケータを、前記UEに送信するステップと、
前記送信されたCBGのセットに基づいて、肯定応答(ACK)/否定ACK(NACK)フィードバックを前記UEから受信するステップと、
前記CBGのセットまたは前記CBGの第1のサブセットのうちの1つのみを再送信するステップであって、前記受信されたACKまたはNACKフィードバックに少なくとも部分的に基づいて、前記少なくとも部分的にパンクチャされたリソース上で送信された前記CBGの第1のサブセットを示す情報を含むCBGリストを再送信認可内で送信するステップを含む、ステップと
を含む、方法。
【請求項２】
前記再送信認可が、前記CBGのセットが再送信されたかどうか、または再送信が前記CBGの第1のサブセットのみを含むかどうかを示す再送信タイプインジケータをさらに含む、請求項1に記載の方法。
【請求項３】
前記受信されたACK/NACKフィードバックがNACKであるときに、前記TBを備える前記CBGのセットが再送信され、
前記受信されたACK/NACKフィードバックがACKであるときに、前記CBGの第1のサブセットのみが再送信される、
請求項1に記載の方法。
【請求項４】
前記受信されたACK/NACKフィードバックがACKであり、前記ACKが、前記CBGの第1のサブセットを除く前記CBGのセット内のすべてのCBGが復号に成功したことを示す、または、前記受信されたACK/NACKフィードバックがNACKであり、前記NACKが、前記CBGの第2のサブセット内の少なくとも1つのCBGが復号に失敗したことを示す、請求項1に記載の方法。
【請求項５】
前記CBGリストが前記インジケータに含まれる情報に基づき、前記インジケータが、前記CBGリストが送信される前に前記UEに送信されている、請求項1に記載の方法。
【請求項６】
前記受信されたACK/NACKフィードバックがシングルビットフィードバックである、請求項1に記載の方法。
【請求項７】
基地局のワイヤレス通信の装置であって、
コードブロックグループ(CBG)の第1のサブセットおよびCBGの第2のサブセットを含むCBGのセットを含むトランスポートブロック(TB)をユーザ機器(UE)に送信するための手段であって、前記CBGの第1のサブセットが少なくとも部分的にパンクチャされたリソース上で送信され、前記CBGの第2のサブセットがパンクチャされていないリソース上で送信される、手段と、
前記少なくとも部分的にパンクチャされたリソース上で送信された前記CBGの第1のサブセットを示すインジケータを、前記UEに送信するための手段と、
前記送信されたCBGのセットに基づいて、肯定応答(ACK)/否定ACK(NACK)フィードバックを前記UEから受信するための手段と、
前記受信されたACK/NACKフィードバックに基づいて、前記CBGのセットまたは前記CBGの第1のサブセットのうちの1つのみを再送信するための手段であって、前記受信されたACKまたはNACKフィードバックに少なくとも部分的に基づいて、前記少なくとも部分的にパンクチャされたリソース上で送信された前記CBGの第1のサブセットを示す情報を含むCBGリストを再送信認可内で送信するための手段を備える、手段と
を備える、装置。
【請求項８】
ユーザ機器(UE)のワイヤレス通信の方法であって、
コードブロックグループ(CBG)の第1のサブセットおよびCBGの第2のサブセットを含むCBGのセットを、基地局から受信するステップであって、前記CBGの第1のサブセットが少なくとも部分的にパンクチャされたリソース上で送信されている、ステップと、
前記少なくとも部分的にパンクチャされたリソース上で送信された前記CBGの第1のサブセットを示すインジケータを、前記基地局から受信するステップと、
前記CBGのセットを復号するステップと、
前記復号に基づいて、肯定応答(ACK)/否定ACK(NACK)フィードバックを前記基地局に送信するステップと、
前記送信されたACK/NACKフィードバックに基づいて、前記CBGのセットまたは前記CBGの第1のサブセットのうちの1つの再送信を前記基地局から受信するステップであって、前記再送信が、CBGリストを含む再送信認可を含み、前記CBGリストが、前記少なくとも部分的にパンクチャされたリソース上で前記基地局によって送信された前記CBGのセットの1つまたは複数のCBGを示す、ステップと
を含む、方法。
【請求項９】
再送信タイプインジケータを受信するステップであって、前記再送信タイプインジケータが、前記再送信が前記CBGのセットを含むか、前記CBGの第1のサブセットを含むかを示す、ステップ
をさらに含む、請求項8に記載の方法。
【請求項１０】
前記送信されたACK/NACKフィードバックがACKであり、前記ACKが、前記CBGの第1のサブセットを除く前記受信されたCBGのセット内のすべてのCBGが前記UEでの復号に成功したときに送信される、または、
前記送信されたACK/NACKフィードバックがNACKであり、前記NACKが、前記CBGの第2のサブセット内の少なくとも1つのCBGが前記UEでの復号に失敗したときに送信される、請求項8に記載の方法。
【請求項１１】
前記ACK/NACKフィードバックを送信する前記ステップが、前記受信されたインジケータにさらに基づく、請求項8に記載の方法。
【請求項１２】
前記再送信タイプインジケータが、前記再送信が前記CBGの第1のサブセットのみを含むことを示し、前記方法が、
前記再送信において前記CBGの第1のサブセットを受信するステップと、
前記再送信タイプインジケータに基づいて、前記CBGリストが前記再送信に含まれるCBGを示すと判断するステップと、
前記CBGリスト内で示された前記CBGが前記復号に失敗したCBGに対応するかどうかを判定するステップと、
前記CBGリスト内で示された前記CBGが前記復号に失敗した前記CBGに対応すると判定したことに応答して、前記CBGの第1のサブセット用の前に記憶された対数尤度比(LLR)値に基づくソフト合成を実行することなく、前記再送信されたCBGの第1のサブセットを復号するステップと
を含む、請求項9に記載の方法。
【請求項１３】
再送信タイプインジケータが、前記再送信が前記CBGのセットを含むことを示し、前記方法が、
前記再送信において前記CBGのセットを受信するステップと、
前記再送信タイプインジケータに基づいて、前記CBGリストが前に記憶された対数尤度比(LLR)値がヌルアウトされるべきCBGを示すと判断するステップと、
前記前に記憶されたLLR値に基づくソフト合成を実行することなく、前記再送信されたCBGの第1のサブセットを復号するステップと、
前記CBGの第2のサブセット用の前に記憶されたLLR値に基づくソフト合成を用いて、前記再送信されたCBGの第2のサブセットを復号するステップと
を含む、請求項8に記載の方法。
【請求項１４】
ワイヤレス通信のためのユーザ機器(UE)であって、
コードブロックグループ(CBG)の第1のサブセットおよびCBGの第2のサブセットを含むCBGのセットを、基地局から受信するための手段であって、前記CBGの第1のサブセットが少なくとも部分的にパンクチャされたリソース上で送信されている、手段と、
前記少なくとも部分的にパンクチャされたリソース上で送信された前記CBGの第1のサブセットを示すインジケータを、前記基地局から受信するための手段と、
前記CBGのセットを復号するための手段と、
前記復号に基づいて、肯定応答(ACK)/否定ACK(NACK)フィードバックを前記基地局に送信するステップと、
前記送信されたACK/NACKフィードバックに基づいて、前記CBGのセットまたは前記CBGの第1のサブセットのうちの1つの再送信を受信するための手段であって、前記再送信が、CBGリストを含む再送信認可を含み、前記CBGリストが、前記少なくとも部分的にパンクチャされたリソース上で前記基地局によって送信された前記CBGのセットの1つまたは複数のCBGを示す、手段と
を備える、UE。
【請求項１５】
コンピュータ実行可能コードを記憶するコンピュータ可読記憶媒体であって、前記コンピュータ実行可能コードが、実行されると、請求項１〜６のいずれか一項に記載の方法を基地局に実行させ、請求項８〜１３のいずれか一項に記載の方法をユーザ機器(UE)に実行させる、コンピュータ可読記憶媒体。